(57)【要約】      （修正有）【課題】一枚のシートから容易に組立てることができ、横幅の異なるさまざまな被支持物に対しても対応可能であり、被支持物にダメージを与える事がなく、さらには、正面板を訴求面としての使用可能なイーゼルスタンドを提供する。【解決手段】正面板４とこれに連設された底面板５とからなる商品支持部と、商品支持部を自立せしめるスタンド部とから成り、スタンド部は、正面板の最上部からトップヒンジ６を介して連設された背面板７ａ，７ｂと、背面板から連設された左右の足板１１，１０と、背面板から連設された足板固定板２０とを有し、左右の足板は、足板固定板を足板固定板ヒンジ２１を軸として回転させて引き起こすことによって固定され、さらに左右の足板の先端に設けられた係止突起が、底面板の先端に係止することにより、商品支持部とスタンド部とが一体に固定される。【選択図】図２
0003215546.tif 000002
【実用新案登録請求の範囲】
【請求項１】
１枚のシート状のブランクを折罫線によるヒンジに沿って折り曲げることにより組立て可能なイーゼルスタンドであって、
正面板とこれに折罫線を介して連設された底面板とからなる商品支持部と、該商品支持部を自立せしめるスタンド部とから成り、
該スタンド部は、前記正面板の最上部からトップヒンジを介して連設された背面板と、該背面板から左右の足板ヒンジを介して連設された左右の足板と、前記背面板から足板固定板ヒンジを介して連設された足板固定板とを有し、
前記左右の足板は、前記足板固定板を前記足板固定板ヒンジを軸として回転させて引き起こすことによって固定され、
さらに左右の足板の先端に設けられた係止突起が、前記底面板の先端に係止することにより、前記商品支持部と前記スタンド部とが一体に固定されることを特徴とするイーゼルスタンド。
【請求項２】
１枚のシート状のブランクを折罫線によるヒンジに沿って折り曲げることにより組立て可能なイーゼルスタンドであって、
正面板とこれに折罫線を介して順次連設された底面板と、前垂れ板とからなる商品支持部と、該商品支持部を自立せしめるスタンド部とから成り、
該スタンド部は、前記正面板の最上部からトップヒンジを介して連設された背面板と、該背面板から左右の足板ヒンジを介して連設された左右の足板と、前記背面板から足板固定板ヒンジを介して連設された足板固定板とを有し、
前記左右の足板は、前記足板固定板を前記足板固定板ヒンジを軸として回転させて引き起こすことによって固定され、
前記正面板と前記底面板の間の折罫線上に設けられた切込みによって形成された係止突起と、前記足板の先端の付け根部分に設けられた底板係止溝とが係合することによって、前記商品支持部と前記スタンド部とが一体に固定されることを特徴とするイーゼルスタンド。
【請求項３】
前記前垂れ板の上部に、商品の滑り落ちを防止する滑り止め突起を有することを特徴とする請求項２に記載のイーゼルスタンド。
【考案の詳細な説明】
【技術分野】
【０００１】
本考案は、ＣＤ、ＤＶＤなどのケース入りディスクや、パンフレット、カードなどを立て掛けて陳列、展示するために使用するイーゼルスタンドに関し、特に紙製やプラスチック製で、容易に組立てることが出来るイーゼルスタンドに関する。
【背景技術】
【０００２】
従来、物品を立て掛けて保持したり、陳列するための置台として、木製のイーゼルが知られている。イーゼルは、本来絵画を制作する時にキャンバスを保持するための道具であるが、飲食店の店頭などにおいてメニューを表示したり、博物館などにおいて掲示板を掲示したりする用途などにも用いられている。
【０００３】
近年では、書店やレコードショップ等の店頭において、新刊書籍やＣＤなど比較的小型の物品を陳列、展示する目的で、容易に組立てられるイーゼルスタンドが考案されている。
【０００４】
特許文献１に記載された保持板は、１枚の表示紙を立て掛けて表示することを目的としたものであり、１枚の板紙からなるフレームから、自立するための左右の足板と、上部に取り付けて物品を支持する腕板とを切り抜いて、全体を組立てられるようにしたものである。
【０００５】
特許文献１に記載された保持板は、容易に作成することができるものではあるが、いくつかの問題点を有している。その一つは、１枚の板紙からパーツを切り離す必要があり、組立てに手間が掛かる点である。また、正面板にパーツを切り抜いた孔ができるため、被支持物が無い場合の意匠性に劣り、正面板を訴求面として用いることができないという問題がある。
またさらに、被支持物を左右２つの足板で支える構造であり、面で支える構造でないために、足板の間隔より小さいものを置くことができず、足板の間隔より広いものでも、多少の横ずれで落ちてしまうという基本的な問題がある。足板の間隔を狭くすると逆に大きなものを置いた時にバランスが悪くなるし、足板の枚数を増やすと構造が複雑になり組立ての手間も掛かる。またそもそも被支持物を点で支えること自体あまり好ましい事ではなく、被支持物に押し跡がついたり、また意匠的に劣るという問題もあった。
【先行技術文献】
【特許文献】
【０００６】
【特許文献１】特開２０１０−１９４２３４号公報
【考案の概要】
【考案が解決しようとする課題】
【０００７】
本考案の解決しようとする課題は、一枚のシートから容易に組立てることができ、横幅の異なるさまざまな被支持物に対しても対応可能であり、さらに被支持物を面で保持するために、被支持物にダメージを与える事がなく、さらには、正面板に孔や切込みが無いため訴求面としての使用が可能なイーゼルスタンドを提案するものである。
【課題を解決するための手段】
【０００８】
上記の課題を解決するための手段として、請求項１に記載の考案は、１枚のシート状のブランクを折罫線によるヒンジに沿って折り曲げることにより組立て可能なイーゼルスタンドであって、正面板とこれに折罫線を介して連設された底面板とからなる商品支持部と、
該商品支持部を自立せしめるスタンド部とから成り、該スタンド部は、前記正面板の最上部からトップヒンジを介して連設された背面板と、該背面板から左右の足板ヒンジを介して連設された左右の足板と、前記背面板から足板固定板ヒンジを介して連設された足板固定板とを有し、前記左右の足板は、前記足板固定板を前記足板固定板ヒンジを軸として回転させて引き起こすことによって固定され、さらに左右の足板の先端に設けられた係止突起が、前記底面板の先端に係止することにより、前記商品支持部と前記スタンド部とが一体に固定されることを特徴とするイーゼルスタンドである。
【０００９】
また、請求項２に記載の考案は、１枚のシート状のブランクを折罫線によるヒンジに沿って折り曲げることにより組立て可能なイーゼルスタンドであって、正面板とこれに折罫線を介して順次連設された底面板と、前垂れ板とからなる商品支持部と、該商品支持部を自立せしめるスタンド部とから成り、該スタンド部は、前記正面板の最上部からトップヒンジを介して連設された背面板と、該背面板から左右の足板ヒンジを介して連設された左右の足板と、前記背面板から足板固定板ヒンジを介して連設された足板固定板とを有し、前記左右の足板は、前記足板固定板を前記足板固定板ヒンジを軸として回転させて引き起こすことによって固定され、前記正面板と前記底面板の間の折罫線上に設けられた切込みによって形成された係止突起と、前記足板の先端の付け根部分に設けられた底板係止溝とが係合することによって、前記商品支持部と前記スタンド部とが一体に固定されることを特徴とするイーゼルスタンドである。
【００１０】
また、請求項３に記載の考案は、前記前垂れ板の上部に、商品の滑り落ちを防止する滑り止め突起を有することを特徴とする請求項２に記載のイーゼルスタンドである。
【考案の効果】
【００１１】
本考案に係るイーゼルスタンドは、１枚のシート状のブランクを折罫線によるヒンジに沿って折り曲げることにより組立て可能な構造であるから、組立てに当たって部品を切り抜いたり、集めたりする必要もなく、ただ単に罫線に沿って折り曲げるだけの簡単な操作で組立てることができる。
【００１２】
正面板には、孔や切込みが一切ないため、デザイン面において優れている。このため、正面板にさまざまな装飾やメッセージを印刷することにより、訴求効果を期待することができる。
構造面において、正面板に、折罫線を介して底面板と背面板が連設されているため、正面板は平面性に優れたものとなり、この点も意匠性の向上に寄与している。
【００１３】
被支持物は、底面板によって面で保持されるため、安定して載置され、押し跡などが生じる心配もない。また被支持物の寸法についても、広範な幅寸法の被支持物に対応することができる。
【００１４】
組立てる前の状態は平面的であり、コンパクトに収納できる。特にＣＤのケースサイズに合わせて設計することにより、ＣＤに添付して販売し、購入者が組立ててＣＤを飾るためのイーゼルスタンドとして利用することができるので、販売促進効果が期待できる。
【００１５】
請求項２に記載の考案によれば、底面板の先端に前垂れ板を設けたことにより、正面から見た時にスタンド部の足が見えなくなるため、さらに意匠性が向上する。
【００１６】
また請求項３に記載の考案によれば、前垂れ板の上部に底面板より上に突出する滑り止め突起を設けたことにより、立て掛けた被支持物が滑り落ちるのを防止する効果がある。
【図面の簡単な説明】
【００１７】
【図１】図１は、本考案に係るイーゼルスタンドの最も基本的な実施態様を正面側から見た状態を示した斜視図である。
【図２】図２は、図１に示したイーゼルスタンドを背面側から見た状態を示した斜視図である。
【図３】図３は、図１、２に示したイーゼルスタンドの組立て前のブランクを正面側から見た状態を示した平面模式図である。図中点線は山折罫線を、一点鎖線は谷折罫線を示す。
【図４】図４は、本考案に係るイーゼルスタンドの第２の実施態様を正面側から見た状態を示した斜視図である。
【図５】図５は、図４に示したイーゼルスタンドの組立て前のブランクを正面側から見た状態を示した平面模式図である。図中点線は山折罫線を、一点鎖線は谷折罫線を示す。
【図６】図６は、本考案に係るイーゼルスタンドの第３の実施態様を正面側から見た状態を示した斜視図である。
【図７】図７は、図６に示したイーゼルスタンドの組立て前のブランクを正面側から見た状態を示した平面模式図である。図中点線は山折罫線を、一点鎖線は谷折罫線を示す。
【考案を実施するための形態】
【００１８】
図１、２、３に示したように、本考案に係るイーゼルスタンド１は、１枚のシート状のブランク１Ｂを折罫線によるヒンジ６、８、１２、１３、２１に沿って折り曲げることにより組立て可能なイーゼルスタンドである。このため、組立ては極めて容易であり、部品を作ったり、集めたりする必要もなく、誰にでも簡単に組立てることができる。
【００１９】
本考案に係るイーゼルスタンド１は、正面板４とこれに底面板折罫線８を介して連設された底面板５とからなる商品支持部３と、商品支持部３を自立せしめるスタンド部２とから成る。
スタンド部２は、正面板４の最上部からトップヒンジ６を介して連設された背面板７ａ、７ｂと、背面板から左右の足板ヒンジ１３、１２を介して連設された左右の足板１１、１０と、背面板から足板固定板ヒンジ２１を介して連設された足板固定板２０とを有し、左右の足板１１、１０は、足板固定板２０を足板固定板ヒンジ２１を軸として回転させて引き起こすことによって固定される。
さらに左右の足板１１、１０の先端にそれぞれ設けられた係止突起１４が、底面板５の先端に係止することにより、商品支持部３とスタンド部２とが一体に固定される。
【００２０】
左右の足板１１、１０は、切込線１６と切込線２３とによって背面板から切り離されると共に、左右の足板ヒンジ１３、１２を回転軸として背面板に対して回転することができる。
【００２１】
足板固定板２０と左右の足板１１、１０とは、足板固定板２０に設けられた左右の足板係止溝２２に、左右の足板に設けられた足板固定板係止溝１５が互いに噛み合うように係止することによって固定される。
【００２２】
足板固定板２０は、切込線２３によって背面板と左右の足板から分離形成される。足板固定板２０によって、背面板は、背面板上７ａと背面板下７ｂとに分離されている。
【００２３】
以上のように、本考案に係るイーゼルスタンドは、組立てに当たって接着剤やその他フ
ァスナー類を必要とせず、それぞれの部分を係止部によって固定するものであるため、組立てが極めて容易であり、誰にでも簡単に組立てることができる。
【００２４】
イーゼルスタンドの顔となる正面板４には、罫線を介して底面板５と背面板上７ａとが連設されているため、正面板４の平面性が高まり、意匠的にも優れたものとなる。特に、底面板５は、正面板４に対してほぼ直角に曲げられた状態であるため、正面板４の平面性を保持する効果が大きい。
【００２５】
本考案に係るイーゼルスタンドに用いる材料としては、通常の厚紙の他、プラスチック板なども使用できる。厚紙は必要に応じて複数枚を合紙してさらに厚く、頑丈にすることも可能である。
【００２６】
材料の厚さが厚い場合には、ヒンジとなる折罫線には、破線状のカットを入れたり、厚さの半分程度のハーフカットを入れたりして、曲がり易くすると良い。特に１８０°の折り曲げが必要となるトップヒンジ６については、ハーフカットが必須な場合が多い。
【００２７】
図４は、本考案に係るイーゼルスタンド１の第２の実施態様を正面側から見た状態を示した斜視図である。また図５は、図４に示したイーゼルスタンド１の組立て前のブランク１Ｂを正面側から見た状態を示した平面模式図である。図中点線は山折罫線を、一点鎖線は谷折罫線を示す。
【００２８】
図４、５に示した例では、底面板５の先端に、前垂れ板折罫線３１を介して前垂れ板３０が連設されている。このようにすることで、第１の実施態様における特徴を維持したまま、さらに長所を付け加えることができる。すなわち、前面から見た時に、スタンド部２の足先が見えなくなることにより、さらに意匠性が向上するのである。
【００２９】
但し、第１の実施態様においては、左右の足板１１、１０の先端に設けた係止突起１４を底面板５に係止させることで、全体の固定を行っていたが、この構造であると同様の方法を採用することができない。このため、本実施態様においては、正面板４と底面板５の間の底面板折罫線８上に設けられた切込みによって形成された係止突起３２と、足板１１、１０の先端の付け根部分に設けられた底板係止溝３３とが係合することによって、商品支持部３とスタンド部２とが一体に固定される。
【００３０】
図６は、本考案に係るイーゼルスタンド１の第３の実施態様を正面側から見た状態を示した斜視図である。また図７は、図６に示したイーゼルスタンド１の組立て前のブランク１Ｂを正面側から見た状態を示した平面模式図である。図中点線は山折罫線を、一点鎖線は谷折罫線を示している。
【００３１】
第３の実施態様は、第２の実施態様において、前垂れ板３０の上部に、商品の滑り落ちを防止する滑り止め突起４０を付加したことを特徴とする。滑り止め突起４０は、前垂れ板折罫線３１の中央部に上に凸の切込みを設けることにより、形成できる。
【００３２】
組立ての際、前垂れ板折罫線３１を山折りすることにより、滑り止め突起４０が自動的に立ち上がる。滑り止め突起４０が存在することで、被支持物が滑り落ちるのを防止する効果が生じる。
【００３３】
図６、７に示した例では、正面板４の右上部に設けられた円形の突起と、左側面部に設けられた矩形状の突起が見られる。このように、正面板４の形状については、本考案の趣旨を逸脱しない範囲で、自由に設計することができる。
【符号の説明】
【００３４】
１・・・イーゼルスタンド
１Ｂ・・・ブランク
２・・・スタンド部
３・・・商品支持部
４・・・正面板
５・・・底面板
６・・・トップヒンジ
７ａ、７ｂ・・・背面板上、背面板下
８・・・底面板折罫線
１０・・・足板右
１１・・・足板左
１２・・・足板ヒンジ右
１３・・・足板ヒンジ左
１４・・・係止突起
１５・・・足板固定板係止溝
１６・・・切込線
２０・・・足板固定板
２１・・・足板固定板ヒンジ
２２・・・足板係止溝
２３・・・切込線
３０・・・前垂れ板
３１・・・前垂れ板折罫線
３２・・・係止突起
３３・・・底板係止溝
４０・・・滑り止め突起
【図１】
0003215546.tif 000003
【図２】
0003215546.tif 000004
【図３】
0003215546.tif 000005
【図４】
0003215546.tif 000006
【図５】
0003215546.tif 000007
【図６】
0003215546.tif 000008
【図７】
0003215546.tif 000009